(57)【要約】【課題】ケース本体の外面部により多くの情報を表示できるようにした情報媒体収納ケースを提供する。【解決手段】連結部１により左右に開閉可能に連結されたベース部２と蓋部３を有するケース本体４を硬質プラスチックシートにより形成し、蓋部３をベース部２に重ね合わせることにより内側に形成される空間に記憶媒体を係脱可能に収容するようにした記憶媒体収納ケースであって、ケース本体４の外面に沿わせて透明シート１８を配置し透明シート１８の左右の端部をベース部２と蓋部３の開閉端部２ａ，３ａに夫々固定することによりケース本体４の外面と透明シート１８との間に第１印刷物挿入部１９を形成し、且つ、ケース本体４外面のベース部２と蓋部３の開閉端部２ａ，３ａの少なくとも一方に透明袋２０の側辺を固定して第２印刷物挿入部２１を形成する。【選択図】図１
0003118875.tif 000002
【実用新案登録請求の範囲】
【請求項１】
連結部により左右に開閉可能に連結されたベース部と蓋部を有するケース本体を硬質プラスチックシートにより形成し、前記蓋部を前記ベース部に重ね合わせることにより内側に形成される空間に記憶媒体を係脱可能に収容するようにした記憶媒体収納ケースであって、前記ケース本体の外面に沿わせて透明シートを配置し該透明シートの左右の端部を前記ベース部と蓋部の開閉端部に夫々固定することによりケース本体の外面と透明シートとの間に第１印刷物挿入部を形成し、且つ、前記ケース本体外面のベース部と蓋部の開閉端部の少なくとも一方に透明袋の側辺を固定することにより第２印刷物挿入部を形成したことを特徴とする記憶媒体収納ケース。
【請求項２】
前記第２印刷物挿入部を形成する透明袋を、複数枚重ねて固定したことを特徴とする請求項１に記載の記憶媒体収納ケース。
【考案の詳細な説明】
【技術分野】
【０００１】
本考案は、録音または録音と録画が行われたコンパクトディスク（以下ＣＤ と略記する）等の記憶媒体を収納するようにした記憶媒体収納ケースに関するものである。
【背景技術】
【０００２】
従来より、録音または録音と録画を行ったＣＤ等の記憶媒体（以下ではＣＤの場合を例にとって説明する）は、一般にＣＤ収納ケースに収容された状態で搬送、陳列、販売等が行われる。従来のＣＤ収納ケースは、その一例を図４〜図６に示す如く、中央部に有する連結部１にベース部２と蓋部３が左右に開閉可能に連結された形状のケース本体４を硬質プラスチックシート等により形成し、前記蓋部３を前記ベース部２に重ね合わせて閉止状態にした際に内側に形成される空間にＣＤ１０（図６に二点鎖線で表示）を係脱可能に収容するようにしている。
【０００３】
図４はケース本体４を開いてＣＤ１０を収納する内面Ａが現われた状態を示しており、前記ベース部２と蓋部３は所要幅を有する連結部１に薄肉部５を介して折り曲げ可能に接続されており、且つベース部２と蓋部３における薄肉部５を除く周縁には所要の高さの立上り部６が形成してあり、前記蓋部３を前記ベース部２に重ね合わせるようにして閉止状態にすると、前記連結部１の幅を高さとする箱形が形成されるようになっている。
【０００４】
更に、前記ケース本体４の内面Ａにおける前記ベース部２の開閉端部２ａには図４、図５に示す嵌合凹部７が形成してあり、且つ前記蓋部３の開閉端部３ａには蓋部３をベース部２に重ね合わせて閉止状態とするときに前記嵌合凹部７に緊密に嵌合して固定される嵌合凸部８が形成してある。また、前記ベース部２と蓋部３の開閉端部２ａ，３ａにおける立上り部６には、凹み部９が形成してあり、閉止状態にしたケース本体４の前記凹み部９に左右の手指を入れて前記ベース部２と蓋部３を左右に引くことによってケース本体４を開放できるようになっている。
【０００５】
前記ケース本体４の内面Ａの中央には変形能を有して前記ＣＤ１０の中央孔に緊密の嵌合する保持突起１１が形成してあると共に、ＣＤ１０の外周縁を嵌合保持するようにした外周突起１２が形成してある。また、前記蓋部３の内面Ａにおける開閉端部３ａの近傍には該蓋部３の内部にＣＤ１０の説明用冊子やその他の印刷物等を固定できるクリップ１３が形成してある。
【０００６】
上記ＣＤ収納ケースでは、図４、図６の如く開放した状態のケース本体４のベース部２に備えた保持突起１１にＣＤ１０の中央孔を緊密に嵌合し周縁を外周突起１２で保持させた状態にし、前記蓋部３を前記ベース部２に重ね合わせるように閉じると、前記嵌合凹部７に嵌合凸部８が緊密に嵌合して固定され、これによりＣＤ１０はケース本体４に収納される。
【０００７】
尚、この種のＣＤ収納ケースとしては例えば特許文献１等に示すようなものがある。
【０００８】
一方、前記ＣＤ収納ケースには、商品名、商品概要、会社名、ロゴマーク等のコマーシャルメッセージ、或いはその他の詳細情報等を記載した印刷物を一体に保持させることが考えられている。例えば、図７に示すように、前記ケース本体４の外面Ｂに沿わせて透明シート１４を配置し、該透明シート１４の左右の端部を前記ベース部２と蓋部３の開閉端部２ａ，３ａを固定部１５として夫々加熱溶着等によって固定することによりケース本体４の外面Ｂと透明シート１４との間に印刷物挿入部１７を形成し、この印刷物挿入部１７に前記コマーシャルメッセージ等を表示した印刷物１６を挿入するようにしたものが考えられている。
【０００９】
このような透明シート１４を備えたＣＤ収納ケースによれば、ケース本体４の外面Ｂと透明シート１４との間の印刷物挿入部１７に、商品名、ＣＤ１０に記録された内容、会社名、ロゴマーク等のコマーシャルメッセージ、或いはその他の情報等を表示した印刷物１６を挿入すると、該印刷物１６によってＣＤ供給者は伝えたい商品情報をユーザーに確実に伝えることができ、また、ユーザーは上記印刷物を読むことによって商品の識別が容易になると共に収容されたＣＤ１０の内容や関連したより詳しい情報等を知ることができる。
【特許文献１】特開２００２−２２５９６６号公報
【考案の開示】
【考案が解決しようとする課題】
【００１０】
前記ＣＤ収納ケースにおいては、ユーザーに当該商品を選択することを促すために、商品名、商品概要、会社名、ロゴマーク等のコマーシャルメッセージを大きく注目を引くように外表面に表示することが要求されるが、ケース本体４に表示できる範囲はその外面の狭いスペースに限られており、従って図７の印刷物挿入部１７に挿入するようにした印刷物１６に、大きな文字や絵を用いてコマーシャルメッセージを表示した場合には、商品の詳細説明や当該商品に関連する商品の説明、更にはサービス等といったユーザーが最も望む情報を十分に表示してユーザーに提供することができないという問題があった。
【００１１】
また、商品の詳細説明や当該商品に関連する商品の説明、更にはサービス等といったユーザーが望む情報を記載した印刷物を、図４、図５に示すように蓋部３の内面Ａに設けたクリップ１３に、ＣＤ１０の説明用冊子等と一緒に固定しておくことはできる。しかし、一般のＣＤ収納ケースではシール等を貼って商品の購入前にはケース本体４を開放できないようにしているため、ユーザーはケース本体４を開放して印刷物等を取り出しその詳細情報を見て商品を選択することはできず、従ってユーザーに対する十分な情報の提供ができないというサービス上の問題を有していた。
【００１２】
本考案は、前述した問題点を解決しようとしてなしたもので、ケース本体の外面部により多くの情報を表示できるようにした情報媒体収納ケースを提供することを目的とする。
【課題を解決するための手段】
【００１３】
本考案は、連結部により左右に開閉可能に連結されたベース部と蓋部を有するケース本体を硬質プラスチックシートにより形成し、前記蓋部を前記ベース部に重ね合わせることにより内側に形成される空間に記憶媒体を係脱可能に収容するようにした記憶媒体収納ケースであって、前記ケース本体の外面に沿わせて透明シートを配置し該透明シートの左右の端部を前記ベース部と蓋部の開閉端部に夫々固定することによりケース本体の外面と透明シートとの間に第１印刷物挿入部を形成し、且つ、前記ケース本体外面のベース部と蓋部の開閉端部の少なくとも一方に透明袋の側辺を固定することにより第２印刷物挿入部を形成したことを特徴とする記憶媒体収納ケース、に係るものである。
【００１４】
上記記憶媒体収納ケースにおいて、前記第２印刷物挿入部を形成する透明袋を、複数枚重ねて固定することは好ましい。
【考案の効果】
【００１５】
本考案の記憶媒体収納ケースによれば、ケース本体の外面に透明シートによる第１印刷物挿入部を形成し、更に、ケース本体外面のベース部と蓋部の開閉端部の少なくとも一方に透明袋の側辺を固定することにより第２印刷物挿入部を形成したので、閉止状態のＣＤ収納ケースの外面には、商品名、商品概要、会社名、ロゴマーク等のコマーシャルメッセージが大きく表示されるようにし、また、透明袋の裏面及び該透明袋で隠れるＣＤ収納ケースの外面には、商品の詳細説明や当該商品に関連する商品の説明、更にはサービス等といった詳細情報が表示されるようにした印刷物を前記第１印刷物挿入部と第２印刷物挿入部に挿入することにより、ＣＤ収納ケースの外面に大きく表示されたコマーシャルメッセージによりユーザーの注目を引いてユーザーに当該商品の選択を促すことができると共に、ユーザーは当該商品の選択が容易になり、また、ユーザーは透明袋をめくることによって必要な詳細情報を確実に知ることができるという優れた効果を奏し得る。
【００１６】
更に、前記透明シート及び透明袋はケース本体に沿って設けられるため、場所を取ることもない。
【００１７】
また、前記第２印刷物挿入部を形成する透明袋を、複数枚重ねて固定すると、ケース本体外部に表示できる情報量を大幅に増加できる効果がある。
【考案を実施するための最良の形態】
【００１８】
以下、本考案の実施の形態を添付図面を参照して説明する。
【００１９】
図１及び図２は、前記図４〜図６のＣＤ収納ケースに適用した本考案の形態の一例を示すもので、図１はＣＤ収納ケースを外面側から見た正面斜視図、図２は図１のＣＤ収納ケースに印刷物を挿入する状態を示す正面図である。
【００２０】
図１に示すように、連結部１により左右に開閉可能に連結されたベース部２と蓋部３とを有するケース本体４が硬質プラスチックシートにより形成されたＣＤ収納ケースにおいて、前記ケース本体の外面Ｂに沿わせて該外面Ｂを覆う大きさの透明シート１８を配置し、該透明シート１８の左右の端部を前記ベース部２と蓋部３の開閉端部２ａ，３ａの夫々を固定部１５として加熱溶着等にて固定することにより、ケース本体４の外面と透明シート１８との間に第１印刷物挿入部１９を形成する。
【００２１】
一方、前記ケース本体４外面の蓋部３の開閉端部３ａには、蓋部３と同等の大きさを有し且つ上方が開口した透明袋２０の側辺を前記固定部１５で前記透明シート１８と共に固定することにより第２印刷物挿入部２１を形成する。尚、上記透明袋２０による第２印刷物挿入部２１は、前記ベース部２の外面における開閉端部２ａの固定部１５に透明袋２０の側辺を固定することでベース部２側に設けるようにしてもよい。
【００２２】
ケース本体４の外面と透明シート１８との間に形成した第１印刷物挿入部１９には、図２に示すようにケース本体４と同等の大きさの印刷物２２を挿入する。第１印刷物挿入部１９は上下が開口しているので、上下何れの側からも印刷物２２を挿入することができる。
【００２３】
また、ケース本体４の外面における蓋部３の開閉端部３ａに固定した透明袋２０は上部が開口しているので、図２に示すように蓋部３と同等の大きさの印刷物２３を、上方から第２印刷物挿入部２１内に挿入する。
【００２４】
上記した本考案の記憶媒体収納ケースによれば、閉止状態のＣＤ収納ケースの外面に、商品名、商品概要、会社名、ロゴマーク等のコマーシャルメッセージが大きく表示されるように、第１印刷物挿入部１９と第２印刷物挿入部２１に印刷物２２，２３を夫々挿入する。即ち、第２印刷物挿入部２１に挿入する印刷物２３の表面側と、第１印刷物挿入部１９に挿入する印刷物２２におけるベース部２外面位置の表面側にはコマーシャルメッセージが大きく表示されるようにする。
【００２５】
一方、透明袋２０に挿入する印刷物２３の裏面と、該透明袋２０に挿入した印刷物２３によって隠れる蓋部３外面に位置する印刷物２２の表面側には、商品の詳細説明や当該商品に関連する商品の説明、更にはサービス等といった詳細情報が表示されるようにする。
【００２６】
上記によれば、ＣＤ収納ケースの外面に大きく表示されたコマーシャルメッセージによりユーザーの注目を引いてユーザーに当該商品の選択を促すことができると共に、ユーザーは当該商品の選択が容易になり、また、ユーザーは透明袋２０をめくることでより詳細な必要情報を容易且つ確実に知ることができる。
【００２７】
また、前記透明シート１８及び透明袋２０はケース本体４に沿って設けられているために、場所を取ることはない。
【００２８】
図３は本考案の他の形態を示したもので、図１に示した如くケース本体４外面の蓋部３の開閉端部３ａに１つの透明袋２０の側辺を固定する際に、同時に他の透明袋２４の側辺を固定することにより、複数の第２印刷物挿入部２１を形成するようにしている。
【００２９】
このように、複数の透明袋２０，２４を重ねて備えると、夫々の第２印刷物挿入部２１に印刷物２３（図２参照）を挿入することにより、ケース本体４外部に表示できる情報量を大幅に増加することができる。
【００３０】
なお、本考案の記憶媒体収納ケースにおいては、ＣＤ収納ケースの場合について説明したが、ＣＤ以外の種々の記憶媒体の収納ケースにも適用できること、ケース本体を二つ折りにした場合について説明したが三つ折りとしてもよいこと、その他、本考案の要旨を逸脱しない範囲内において種々変更を加え得ることは勿論である。
【図面の簡単な説明】
【００３１】
【図１】本考案を実施する形態の一例としてのＣＤ収納ケースを外面側から見た正面斜視図である。
【図２】図１のＣＤ収納ケースに印刷物を挿入する状態を示す正面図である。
【図３】本考案の他の形態を示す正面斜視図である。
【図４】ＣＤ収納ケースにおけるケース本体を開いて内面が現われた状態を示す平面図である。
【図５】図４をＶ−Ｖ方向から見た一部切断側面図である。
【図６】図４をＶＩ−ＶＩ線に沿って切断した断面図である。
【図７】ケース本体の外面に透明シートにより印刷物挿入部を形成した従来のＣＤ収納ケースの正面図である。
【符号の説明】
【００３２】
１  連結部
２  ベース部
２ａ        開閉端部
３  蓋部
３ａ        開閉端部
４  ケース本体
１０  ＣＤ
１５  固定部
１８  透明シート
１９  第１印刷物挿入部
２０  透明袋
２１  第２印刷物挿入部
２４  透明袋
Ａ  内面
Ｂ  外面
【図１】
0003118875.tif 000003
【図２】
0003118875.tif 000004
【図３】
0003118875.tif 000005
【図４】
0003118875.tif 000006
【図５】
0003118875.tif 000007
【図６】
0003118875.tif 000008
【図７】
0003118875.tif 000009